(57)【特許請求の範囲】
【請求項１】
リール本体と、
前記リール本体に回転可能に設けられたハンドルと、
前記リール本体にスプール軸を介して回転可能に支持されたスプールと、
前記スプール軸に設けられた係合部と、
前記係合部に係合可能な被係合部及び軸方向に延びる貫通孔を有し、前記ハンドルの回転に応じて回転するピニオンギアと、
前記ピニオンギアの前記スプールと反対側の端部を支持する軸受と、
前記ピニオンギアの前記貫通孔に挿入され、その一端が前記スプール軸の端部に当接するように配置されたピニオン軸と、を備え、
前記スプール軸は、前記係合部が設けられる軸本体と、前記軸本体よりも小径の小径部と、を有し、
前記ピニオンギアは、前記被係合部が前記係合部と係合する回転伝達位置と、前記被係合部と前記係合部との係合が解除される回転遮断位置と、の間で軸方向に移動可能であり、前記回転伝達位置において前記スプール軸の前記小径部に支持されるように構成されている、魚釣用両軸受型リール。
【請求項２】
前記ピニオンギアは、前記被係合部の内径よりも小さい内径の狭部を有し、前記狭部は、前記ピニオンギアが前記回転伝達位置にあるときに前記スプール軸の前記小径部と軸方向において対向する位置に設けられている、請求項１に記載の魚釣用両軸受型リール。
【請求項３】
前記ピニオンギアは、前記回転伝達位置において前記狭部の内周面が前記スプール軸の前記小径部の外周面に当接することにより前記スプール軸に支持される、請求項２に記載の魚釣用両軸受型リール。
【請求項４】
前記ピニオンギアの前記スプール側の端部を支持可能な補助軸受をさらに備え、前記補助軸受は、その内周面と前記ピニオンギアの外周面との間の間隔が、前記狭部の内周面と前記小径部の外周面との間の間隔よりも広くなるように配置される、請求項２又は請求項３に記載の魚釣用両軸受型リール。
【発明の詳細な説明】
【技術分野】
【０００１】
本発明は、魚釣用両軸受型リールに関連し、特に、ハンドルとスプールとの間で回転を伝達するオン状態とこの回転の伝達が遮断されるオフ状態との間で切り替え可能なクラッチ機構を有する魚釣用両軸受型リールに関する。
【背景技術】
【０００２】
従来の魚釣用両軸受型リールにおいては、ハンドルの回転が複数のギア及びクラッチ機構を介してスプールに伝達される。特開平１０−１３６８４９号公報（特許文献１）に記載されているように、従来の魚釣用両軸受型リールにおけるクラッチ機構は、スプールの上方（ハンドル側）に設けられた円筒形状のピニオンギアを備える。このピニオンギアには、ハンドルからの回転が入力される。
【０００３】
ピニオンギアのスプール側の端部には、スプール軸に設けられるクラッチピンと係合可能な係合凹部が形成される。そして、ピニオンギアは、スプール軸の回転中心に沿って移動可能に構成され、ピニオンギアの係合凹部がクラッチピンと係合する位置（回転伝達位置）までピニオンギアをスプールに接近させると、クラッチ機構はオン状態となり、ハンドルの回転がピニオンギアを介してスプールに伝達可能となる。一方、ピニオンギアの係合凹部とクラッチピンとの係合が解除される位置（回転遮断位置）までピニオンギアをスプールから離間させると、クラッチ機構はオフ状態となり、ハンドルの回転はスプールに伝達されなくなる。
【０００４】
クラッチ機構のオン状態からオフ状態への切り替えは、通常、リール本体に設けられたクラッチ操作レバーを操作することにより行われる。具体的には、クラッチ操作レバーを押し下げ操作することにより、ピニオンギアを回転伝達位置から回転遮断位置へ移動させてクラッチ機構をオフ状態へ切り替えることができる。一方、クラッチ機構のオフ状態からオン状態への切り替えは、例えば、ハンドルの回転操作により行われる。具体的には、クラッチ機構がオフ状態のときにハンドルを回転させることにより、このハンドルの回転に伴ってピニオンギアを回転遮断位置から回転伝達位置へ移動させてクラッチ機構をオフ状態からオン状態へ切り替えることができる。
【先行技術文献】
【特許文献】
【０００５】
【特許文献１】特開平１０−１３６８４９号公報
【発明の概要】
【発明が解決しようとする課題】
【０００６】
特許文献１に記載されているように、ピニオンギアを軸方向に貫通する貫通孔にはスプール軸とは別体のピニオン軸が挿入されることがある。このようにピニオンギアの貫通孔にスプール軸ではなくスプール軸とは別体のピニオン軸を挿入することにより、スプール軸とピニオンギアとの間で摩擦が発生しないため、キャスティング時のスプール軸への抵抗を軽減することができる。一方、ピニオン軸がスプール軸と別体であるため、このピニオン軸とスプール軸との同芯度を高めることが難しいという課題がある。ピニオンギアはピニオン軸と平行に配置されるので、ピニオン軸とスプール軸との同芯度が低いと、ピニオンギアとスプール軸との同芯度も低くなってしまい、その結果、ピニオンギアの係合凹部とクラッチピンとの接触が間欠的となり、ハンドルの回転をスムースにスプール軸へ伝達できなくなる。このようなピニオンギアの係合凹部とクラッチピンとの間欠的な接触は異音の原因ともなる。
【０００７】
そこで、本発明は、ピニオンギアにスプール軸とは別体のピニオン軸が挿入されている魚釣用両軸受型リールにおいて、クラッチ機構のオン状態におけるピニオンギアとスプール軸の同芯度を高めることを目的の一つとする。
【課題を解決するための手段】
【０００８】
本発明は、魚釣用両軸受型リールに関する。本発明の魚釣用両軸受型リールは、リール本体と、前記リール本体に回転可能に設けられたハンドルと、前記リール本体にスプール軸を介して回転可能に支持されたスプールと、前記スプール軸に設けられた係合部と、前記係合部に係合可能な被係合部及び軸方向に延びる貫通孔を有し、前記ハンドルの回転に応じて回転するピニオンギアと、前記ピニオンギアの前記スプールと反対側の端部を支持する軸受と、前記ピニオンギアの前記貫通孔に挿入され、その一端が前記スプール軸の上端に当接するように配置されたピニオン軸と、を備える。このピニオン軸は、スプール軸とは別体の部材である。
【０００９】
本発明の一実施形態において、前記スプール軸は、前記係合部が設けられる軸本体と、前記軸本体よりも小径の小径部と、を有し、前記ピニオンギアは、前記被係合部が前記係合部と係合する回転伝達位置と、前記被係合部と前記係合部との係合が解除される回転遮断位置と、の間で軸方向に移動可能であり、前記回転伝達位置において前記スプール軸の前記小径部に支持されるように構成されている。
【００１０】
本発明の一実施形態において、前記ピニオンギアは、前記被係合部の内径よりも小さい内径の狭部を有し、前記狭部は、前記ピニオンギアが前記回転伝達位置にあるときに前記スプール軸の前記小径部と軸方向において対向する位置に設けられる。また、本発明の一実施形態において、前記ピニオンギアは、前記回転伝達位置において前記狭部の内周面が前記スプール軸の前記小径部の外周面に当接することにより前記スプール軸に支持される。
【００１１】
これらの実施形態によれば、ピニオンギアが回転伝達位置にあってクラッチ機構がオン状態となっているときに、当該ピニオンギアのスプール側の端部をスプール軸の小径部により支持し、当該ピニオンギアと当該スプール軸とを一軸化することができる。よって、仮に加工精度の限界によりピニオンギアがスプール軸に対して多少傾いて設けられたとしても、クラッチ機構がオン状態のとき（すなわち、ピニオンギアが回転伝達位置にあるとき）には当該ピニオンギアの下端部が当該スプール軸で支持されるので、この傾きを矯正することができる。このように、クラッチ機構のオン状態においてピニオンギアの下端部をスプール軸で支持することにより、ピニオンギアとスプール軸の同芯度を高めることができる。
【００１２】
本発明の一実施形態に係る魚釣用両軸受型リールは、前記ピニオンギアの前記スプール側の端部を支持する補助軸受をさらに備える。当該補助軸受は、その内周面と前記ピニオンギアの外周面との間の間隔が、前記狭部の内周面と前記小径部の外周面との間の間隔よりも広くなるように配置される。当該実施形態によれば、ピニオンギアに対して当該ピニオンギアを傾ける力が作用しても、当該ピニオンギアは補助軸受によって支持されるので、それ以上の傾きが抑制される。このとき、補助軸受は、ピニオンギアを回転可能且つ軸方向に移動可能に支持するので、ピニオンギアが傾いたとしてもピニオンギアの回転や軸方向への移動に支障が生じないようにすることができる。
【発明の効果】
【００１３】
本発明の様々な実施形態により、ピニオンギアにスプール軸とは別体のピニオン軸が挿入されている魚釣用両軸受型リールにおいて、クラッチ機構のオン状態におけるピニオンギアとスプール軸の同芯度を高めることができる。
【図面の簡単な説明】
【００１４】
【図１】本発明の一実施形態に係る魚釣用両軸受型リールの平面図
【図２】図１の魚釣用両軸受型リールのクラッチ機構を拡大して示す縦断面図。図２においては、ピニオンギアが回転伝達位置にある。
【図３】図１の魚釣用両軸受型リールのクラッチ機構を拡大して示す縦断面図。図３においては、クラッチ部材が回転遮断位置にある。
【図４】本発明の他の実施形態に係る魚釣用両軸受型リールのクラッチ機構を拡大して示す縦断面図。図４においては、ピニオンギアが回転伝達位置にある。
【図５】図４の魚釣用両軸受型リールのクラッチ機構を拡大して示す縦断面図。図５においては、ピニオンギアが回転遮断位置にある。
【発明を実施するための形態】
【００１５】
以下、本発明の様々な実施形態を適宜図面を参照して説明する。共通する構成要素には複数の図面をまたがって同一の参照符号が付されている。各図面は、便宜上、必ずしも同一の縮尺により示されているとは限らない点に留意されたい。
【００１６】
図１は、本発明の一実施形態に従った魚釣用両軸受型リールを示す平面図である。図１においては、説明の便宜のために、魚釣用両軸受型リールのクラッチ機構付近を切り欠いて示している。図示のとおり、本発明の一実施形態に係る魚釣用両軸受型リール１は、１対の側板１０ａ，１０ｂを有するリール本体１０と、当該１対の側板１０ａ，１０ｂに１対の軸受１２を介して回転自在に支持されたスプール軸１４と、スプール軸１４と一体に設けられ、１対の側板１０ａ，１０ｂの間に配置されたスプール１６と、一方の側板１０ｂに回転自在に支持されたハンドル軸１８ａと、ハンドル軸１８ａの端部に固定されたハンドル１８と、当該側板１０ｂ中に配置されハンドル１８からハンドル軸１８ａに入力された回転をスプール軸１４に選択的に伝達するクラッチ機構２０と、を備えている。
【００１７】
クラッチ機構２０は、側板１０ｂ中にスプール軸１４に対してほぼ同芯となるように配置されたほぼ円筒状のピニオンギア２６を有する。一実施形態において、このピニオンギア２６のハンドル１８側（上側）の端部は、軸受２４を介して側板１０ｂに回転可能に、また、スプール軸１４（即ち、スプール１６）の回転軸に沿って移動可能に支持されている。また、ピニオンギア２６のスプール１６側（下側）の端部は、ピニオンギア２６が回転伝達位置にあるときには後述するスプール軸１４の小径部１４ｃによって支持される。ピニオンギア２６の軸方向には貫通孔が形成されており、この貫通孔にはピニオン軸２８が挿入されている。ピニオン軸２８は、その一方の端面がスプール軸１４のハンドル１８側の端面と当接し、また、その他方の端面が軸カバー３０と当接するように設けられている。軸カバー３０は、側板１０ｂの外側壁に着脱自在に設けられている。このように、ピニオン軸２８は、スプール軸１４と軸カバー３０とによって、軸方向における移動が規制されている。
【００１８】
ピニオンギア２６は、上述したように、スプール軸１４の回転軸に沿った方向に移動可能に設けられている。ピニオンギア２６の当該回転軸方向における移動は、スプール軸１４のハンドル１８側の端面と軸カバー３０とにより規制されている。具体的には、ピニオンギア２６は、図１及び図２に示す回転伝達位置と図３に示す回転遮断位置との間で、スプール軸１４の回転軸に沿って移動することができる。ピニオンギア２６の移動については後述する。
【００１９】
ピニオンギア２６の外周面には、多数の歯３２が形成されている。この多数の歯３２には、駆動ギア３６が噛み合っている。駆動ギア３６は、ハンドル軸１８ａとともに回転するように設けられており、この駆動ギア３６により、たハンドル１８からハンドル軸１８ａに入力された回転をピニオンギア２６に伝達することができる。したがって、ハンドル１８を所定の釣糸巻き取り方向（図１に矢印Ｒで示す）に回転させると、これにより発生した回転はハンドル軸１８ａ及び駆動ギア３６を介してピニオンギア２６に入力される。これにより、ピニオンギア２６は、所定の釣糸巻き取り方向（図１に矢印Ｘで示す）に回転する。
【００２０】
ピニオンギア２６の多数の歯３２は、ピニオンギア２６の外周面に形成されている環状溝３４によりピニオンギア２６の軸方向において分画されている。この環状溝３４には、クラッチ操作板３８ｂが係合されている。このクラッチ操作板３８ｂは、不図示の付勢手段によりスプール軸１４に向かう方向に付勢されている。このクラッチ操作板３８ｂは、リール本体１０の外表面から突出しているクラッチ操作レバー３８から延出された連結部材３８ａと連結されている。クラッチ操作レバー３８が押し下げられると、クラッチ操作板３８ｂは不図示の付勢手段の付勢力に抗して図１及び図２に示す位置から右方に所定の距離だけピニオンギア２６とともに移動する。この結果、ピニオンギア２６は、図１及び図２に示されている回転伝達位置からスプール軸１４の回転軸に沿ってハンドル１８側に所定の距離だけ（回転遮断位置まで）移動される。
【００２１】
この後にハンドル１８を所定の釣糸巻き取り方向に回転させると、公知のクラッチ解除機構によりクラッチ操作板３８ｂはピニオンギア２６とともに図３に示されている回転遮断位置から図１に示されている位置（回転伝達位置）までスプール軸１４の回転軸上をスプール軸１４側に上記所定の距離だけ移動される。このとき、クラッチ操作レバー３８も図１において紙面に対して垂直な方向における下方の押圧位置から上方の押圧前の初期位置に復帰される。
【００２２】
スプール軸１４は、所定の直径を有する軸本体１４ｂと、この軸本体１４ｂにスプール軸１４の径方向に突出するように設けられたクラッチピン１４ａと、軸本体１４ｂよりも小径の小径部１４ｃと、を有している。小径部１４ｃは、軸本体１４ｂのハンドル側の端部に設けられている。また、小径部１４ｃのハンドル１８側の端部には、この小径部１４ｃよりもさらに小径に形成され、ピニオン軸２８の下端面と当接する当接部１４ｄが形成されてもよい。この当接部１４ｄは、図示のように、その先端がさらに小径となるように、テーパ加工されていてもよい。このように、スプール軸１４の先端を軸本体１４ｂよりも小径とすることにより、スプール１６を自由回転させるときのスプール軸１４とピニオン軸２８との間の摩擦を軽減することができる。
【００２３】
ピニオンギア２６のスプール軸１４側の端部には、ピニオンギア２６が図１に示す回転伝達位置にある時にクラッチピン１４ａと周方向に係合する被係合部２６ａが設けられている。この被係合部２６ａは、ピニオンギア２６の回転伝達位置への移動を許容するように、スプール軸１４の軸本体１４ｂの外周面の直径よりも大きな直径の内周面を有している。軸本体１４ｂの外周面の径及び被係合部２６ａの内周面の径は、例えば、小径部１４ｃと狭部２６ｂとの間の隙間がピニオンギア２６が回転伝達位置にあるときに０．０５ｍｍ〜０．５０ｍｍの範囲となるように定められる。また、被係合部２６ａには、１対の係合凹部４２が形成されている。この係合凹部４２は、スプール軸１４から径方向に突出したクラッチピン１４ａを受け入れることができるように形成されている。よって、被係合部２６ａは、係合凹部４２を介してクラッチピン１４ａと係合するように構成されている。図３に示すように、ピニオンギア２６が回転遮断位置にある時には、クラッチピン１４ａと被係合部２６ａとの係合は解除される。
【００２４】
図示の実施形態においては、スプール軸１４に設けられたクラッチピン１４及びピニオンギア２６の係合凹部４２を介してスプール軸１４とピニオンギア２６とが係合しているが、本発明においては、これ以外にも様々な態様でスプール軸１４とピニオンギア２６とを係合させることができる。例えば、特開平１０−１３６８４９号公報の図７等に開示されているように、スプール軸１４の軸本体１４ｂの外周面に１対の相互に平行な係合面を形成し、ピニオンギア２６の被係合部２６ａの内周面に当該係合面に対応する１対の相互に平行な被係合面を設け、この係合面及び被係合面を介してスプール軸１４とピニオンギア２６とを係合させてもよい。ピニオンギア２６の１対の被係合面は、ピニオンギア２６が回転伝達位置にあるときに、スプール軸１４に形成された１対の係合面と対向するようにピニオンギア２６の内周面に形成される。
【００２５】
ピニオンギア２６の被係合部２６ａよりもハンドル１８側には、当該被係合部２６ａの内径よりも小さな内径を有する狭部２６ｂが設けられている。図２に示すように、この狭部２６ｂは、ピニオンギア２６が図２に示す回転伝達位置にあるときにスプール軸１４の小径部１４ｃと対向する位置に設けられている。この狭部２６ｂの内径は、ピニオンギア２６の回転伝達位置への移動（狭部２６ｂが小径部１４ｃに対向する位置への移動）を許容するように、スプール軸１４の小径部１４ｃの外径の直径よりも僅かに大きな直径を有するように形成される。小径部１４ｃの外周面の径及び狭部２６ｂの内周面の径は、例えば、小径部１４ｃと狭部２６ｂとの間の隙間がピニオンギア２６の回転伝達位置にあるときに０．０１ｍｍ〜０．２０ｍｍの範囲となるように定められる。これにより、ピニオンギア２６が回転伝達位置にあるときに、狭部２６ｂの内周面はスプール軸１４の小径部１４ｃの外周面と当接するので、ピニオンギア２６の下端側をスプール軸１４によって支持することができる。
【００２６】
このように、上述した実施形態によれば、ピニオンギア２６が回転伝達位置にあるときに、ピニオンギア２６の狭部２６ｂをスプール軸１４の小径部１４ｃにより支持して、当該ピニオンギア２６と当該スプール軸１４とを一軸化することができる。よって、仮にピニオンギア２６がスプール軸１４に対して多少傾いて設けられたとしても、ピニオンギア２６を回転伝達位置へ移動させることにより、ピニオンギア２６の狭部２６ｂがスプール軸１４の小径部１４ｃと当接することにより、この傾きを矯正することができる。
【００２７】
本発明の一実施形態において、小径部１４ｃの外周面は、スプール軸１４の軸方向と平行な方向に延伸するように形成され、また、狭部２６ｂの内周面はピニオンギア２６の軸方向と平行な方向に延伸するように形成される。これにより、仮にピニオンギア２６がスプール軸１４に対して多少傾いて設けられたとしても、ピニオンギア２６を回転伝達位置に移動させることにより、狭部２６ｂの内周面が小径部１４ｃの外周面と平行な方向を向くように、ピニオンギア２６の姿勢を矯正することができる。これにより、より確実にピニオンギア２６とスプール軸１４との同芯度をよ高めることができる。
【００２８】
このように、本発明の上述した実施形態によれば、クラッチ機構のオン状態において、ピニオンギア２６とスプール軸１４の同芯度を高めることができる。これにより、クラッチ機構がオン状態のときには、一旦ハンドル１８の回転が始まった後はピニオンギア２６の係合凹部４２とクラッチピン１４ａとを常時接触させることができるので、ハンドル１８の回転をスムースにスプール軸１４へ伝達することができる。また、これにより、係合凹部４２とクラッチピン１４ａとの間欠的な接触に起因する異音の発生も抑制することができる。
【００２９】
次に、図４及び図５を参照して、本発明の他の実施形態に係る魚釣用両軸受型リールについて説明する。図４及び図５に示す実施形態に係る魚釣用両軸受型リールは、ピニオンギア２６のスプール１６側の端部を支持する補助軸受２４’を備える点で図１ないし図３に示した実施形態と異なっている。
【００３０】
図４及び図５に示すように、補助軸受２４’は、側板１ｂに、ピニオンギア２６の被係合部２６ａと対向する位置に設けられている。補助軸受２４’は、ピニオンギア２６を回転可能に、また、その軸方向に移動可能に支持可能に構成される。補助軸受２４’は、例えば、公知のボールベアリングである。本発明の一実施形態において、補助軸受２４’は、その内周面（例えば、ボールベアリングの内輪の内周面）とピニオンギア２６の被係合部２６ａとの隙間が、小径部１４ｃと狭部２６ｂとの間の隙間よりも大きくなるように構成される。
【００３１】
当該実施形態によれば、例えば釣糸の巻き取り時にピニオンギア２６に対してピニオンギア２６を傾ける力が作用すると、ピニオンギア２６は補助軸受２４’に当接して、それ以上の傾きが抑制される。このとき、補助軸受２４’は、ピニオンギア２６を回転可能且つ軸方向に移動可能に支持するので、ピニオンギア２６が傾いたとしてもピニオンギア２６の回転や軸方向への移動に支障が生じないようにすることができる。ピニオンギア２６が傾いていないときには、ピニオンギア２６と補助軸受２４’との間に比較的大きな隙間があるため、ピニオンギア２６の下側の端部は補助軸受２４’ではなく、スプール軸１４の小径部１４ｃによって支持される。
【００３２】
本発明の実施形態は、上述した実施形態に限定されるものではなく、その要旨を逸脱しない範囲内で様々な変更が可能である。
【符号の説明】
【００３３】
１  魚釣用両軸受型リール
１０  リール本体
１０ａ，１０ｂ  側板
１４  スプール軸
１４ａ  クラッチピン
１４ｂ  軸本体
１４ｃ  小径部
１６  スプール
１８  ハンドル
２４，２４’  軸受
２６  ピニオンギア
２６ａ  被係合部
２６ｂ  狭部
２８  ピニオン軸
【図１】
0006401689.tif 000002
【図２】
0006401689.tif 000003
【図３】
0006401689.tif 000004
【図４】
0006401689.tif 000005
【図５】
0006401689.tif 000006